(57)【要約】【課題】  規則的に組むことにより波の活動によっても崩れない強固な消波堤が構築できることはもちろん、波の力を打ち消すのに有効な構造において、良好な漁場環境及び生態系の保全、再生に適した波消しブロックを提供する。【解決手段】  縦横方角に接して配列されることにより左右の斜め交差方角の配列が同時に生じている消波堤が構築されるコンクリートブロックであって、縦横列の並びで隣接ブロックと接合し得るよう正十字方向の４側面を有するほか、隣接４個の交差中心に縦穴が生じ得るようその内面となる左右交差方向の４角面を有する多角形若しくはそれに近い形状に形成し、且つ、そのブロックには、相対する両角面に開口して斜方角に貫通する横抜穴を設けた。【選択図】    図１
2005146682.tif 000002
【特許請求の範囲】
【請求項１】
縦横方角に接して配列されることにより左右の斜め交差方角の配列が同時に生じている消波堤が構築されるコンクリートブロックであって、縦横列の並びで隣接ブロックと接合し得るよう正十字方向の４側面を有するほか、隣接４個の交差中心に縦穴が生じ得るようその内面となる左右交差方向の４角面を有する多角形若しくはそれに近い形状に形成し、且つ、そのブロックには、相対する両角面に開口して斜方角に貫通する横抜穴を設けたことを特徴とする波消しブロック。
【請求項２】
ブロックの前記多角形が八角形であって、前記横抜穴が、両開口から中心部へゆくにつれて絞られて狭くなるように、両開口が当該角面からその両側面に拡張して縦横共に大きく形成されていることを特徴とする請求項１記載の波消しブロック。
【請求項３】
ブロックの下端部に、前記横抜穴と直行する方向の両角面から差し座を前記縦穴の半部に嵌まる長さに突設し、且つ、その両差し座を横抜穴の開口下縁よりも高く形成したことを特徴とする請求項１又は２記載の波消しブロック。
【発明の詳細な説明】
【技術分野】
【０００１】
この発明は、海岸、港湾、河川などにおいて岸近くに消波堤の構築のため配置される波消しブロックに関する。
【背景技術】
【０００２】
海岸、港湾、河川などにおいて、外海から来襲する波浪を遮り、静穏な水面保持を目的として消波堤が設置されるが、反面、これによって、区切られた内側水域の水の交換が阻害され、水質悪化の原因となることが多い。
【０００３】
このような外海との水の流通阻害による水質環境の悪化は、直接生態系への悪影響を及ぼし、特に消波堤構築現場は主に浅海域であり、有用魚介類をはじめとする水産動植物の産卵、着生、幼稚仔生育など水産生物生産の基盤的領域であるため、この環境悪化がもたらす影響は極めて大きいという現状がある。
【０００４】
従って、消波堤は、波浪環境を改善するとともに、水の流通を阻害しない構造が求められ、従来、主に異形ブロックを使用して構築する多孔壁型の消波堤が種々考案されていたが、これらの異形ブロックの配列によって出来る堤体内部隙間は複雑に交錯し、また狭小であるなど、水が停滞しやすい構造であった。
【０００５】
さらに、この堤体内隙間は、太陽光が到達しにくく暗いため、魚介類及び水の浄化機能を有する藻類、微生物などの生育に適していなかった。
【０００６】
日本の漁業生産量は、昭和６０年頃を境に減少傾向に転じており、現在、水産物の消費量の５３％（平成１２年度）を供給するにとどまり、後は輸入に頼るという状況になっている。このような現状に対応するため、水産庁は、平成１４年３月に作成した「水産基本計画」において、「国民に対する水産物の安定供給」、「水産業の健全な発展」を理念とし、平成２４年度における水産物の自給率目標６５％（食用）と、それを達成するための施策推進の指針を示した。それには、「漁港漁場整備長期計画」、「水産動植物の生育環境となる漁場等の積極的な保全・創造」等が含まれる。波消しブロックについては、良好な漁場環境及び生態系の保全（水質改善、藻場の維持・保全、再生）が政策大綱に見られ、また、魚礁の設置、増養殖場の造成、沿岸漁場の保全などの基板整備計画が見られる。これは上記現状から見て妥当な政策と考えられる。
【発明の開示】
【発明が解決しようとする課題】
【０００７】
この発明は、このような実情に鑑みて、規則的に組むことにより波の活動によっても崩れない強固な消波堤が構築できることはもちろん、波の力を打ち消すのに有効な構造において、良好な漁場環境及び生態系の保全、再生に適した波消しブロックを提供することを課題とした。
【課題を解決するための手段】
【０００８】
この発明は、上記の課題を解決するために、縦横方角に接して配列されることにより左右の斜め交差方角の配列が同時に生じている消波堤が構築されるコンクリートブロックであって、縦横列の並びで隣接ブロックと接合し得るよう正十字方向の４側面を有するほか、隣接４個の交差中心に縦穴が生じ得るようその内面となる左右交差方向の４角面を有する多角形若しくはそれに近い形状に形成し、且つ、そのブロックには、相対する両角面に開口して斜方角に貫通する横抜穴を設けたことを特徴とする波消しブロックを構成した。
【０００９】
上記の構成によれば、消波堤を構築する配列では、横抜穴が斜め方角に直列してトンネルができ、４個が囲む間にトンネルが真上に抜ける縦穴ができているので、強い波の来襲があっても、斜めに長くなる分だけ逆比例的に波力が弱められることはもちろん、縦穴からの噴出により波圧力が抜かれる。また、外海と内海との間に海水の交流が、波や潮の打ち寄せや引き、海岸に沿った潮の流れなどの海の自然活動により円滑に行われる。さらに、消波堤の内部が魚介類の安全な棲息空間となり、縦穴からトンネル内部に内部に太陽光が差し込む。
【００１０】
横抜穴が中心部に絞って形成されていると（請求項２）、これによっても波力が弱められ、また、縦穴に半々に嵌まる差し座が横抜穴の開口下縁よりも高く突設されていると（請求項３）、これによってもさらに波力が弱められる。しかも、この差し座により波消しブロックどうしが組み合うばかりでなく、下の海底の砂や基礎が波流により削られる不都合が防止されるため、消波堤の構築が安定する。
【発明の効果】
【００１１】
以上説明したように、この発明の波消しブロックによれば、大波の来襲にも耐える強固な消波堤の構築ができることはもちろん、その構築において、縦横の配列で岸に向かって斜め方角にトンネルが生じるだけでなく、そのトンネルが真上に抜ける縦穴が生じるので、波の力を合理的に強力に打ち消すことができ、しかも、魚介類の避難や棲息に適する魚礁としての環境が得られ、また、太陽光の内部への到達に適するので、水の浄化や藻の生育が望めるなど、良好な漁場環境及び生態系の保全、再生に適するという優れた効果がある。
【発明を実施するための最良の形態】
【００１２】
図１ないし図７は、この発明の一実施の形態を示したもので、その波消しブロックＰは、コンクリートにより八角形の短柱状に形成するとともに、４５度の斜めに横抜穴１を設け、横抜穴１が通る両横に差し座３，３が突設されたもので、消波堤Ｔの構築においては、縦横の正十文字の方向に詰まる配列となるようその４方向に側面４，４，４，４を有し、また、この配列によって左右Ｘ文字交差の配列が生じるが、隣接４個において中心に縦穴７が生じるように、各側面４，４の間に角面５，５，５，５を有する正八角形に形成される。
【００１３】
横抜穴１は、一の相対両角面５，５に開口する斜め方角に形成され、消波堤Ｔの構築において、その方角に連続する並びでトンネル８が生じるので、岸Ｓに向かう波Ｗが突っ込んでくると（図５参照）、トンネル８で斜めに方向が変えられる結果、方向転換により距離が長くなった分に相応して逆比例的に波の力が衰える。また、トンネル８に対して岸Ｓに沿った迎え潮Ｆａであると（図６参照）、抵抗なくトンネル８を通って岸辺の内海に海水が入り込み、逆に、逃げ潮Ｆｂであると（図７参照）、内海から外海に海水が引かれることになる。
【００１４】
したがって、トンネル８内の海水や内海の水が常時入れ代わり、内外海水が浄化され、また、縦穴７から太陽の光が投入するので、トンネル８内でも浄化が促進される。
【００１５】
この横抜穴１は、寸法が縦横に大きく開口して両側面４，４にまでその開口９，９が及んでいるが、中間部に行くにつれて内側の傾斜面により中心で絞るように狭くなっており中間にその狭壁部１１を有する。そのため、波がこの絞り込みの断続によっても弱められる。
【００１６】
差し座３，３は、横抜穴１が開口する側とは違う他の相対両角面５，５に下端面から外側へ突出しており、突出方向に上下で次第に小さくなっているが（図８）、幅が角面５と同一であって、突出寸法がその半分である（図９参照）。そこで、消波堤Ｔの構築においては、斜め隣接する両波消しブロックＰ，Ｐの差し座３，３が縦穴７の下に差し合って共に嵌まることになり、これによって、各波消しブロックＰ，Ｐ，・・の組み合わせが確定し、相互に持ち合って安定する。また、この差し座３の高さは、横抜穴１の開口９の下縁９ａよりも段差が生じるように高くなっている（図４参照）。
【００１７】
横抜穴１，１，・・が連続するトンネル８を見ると、横抜穴１と横抜穴１との間に縦穴７，７，・・を有するので、波が順次縦穴７，７，・・に突入し（図４）、その都度波力が上に抜かれることになる。しかも、前記の如く開口９が拡張する大きい形状であるのに対して、縦穴７の幅が一角面５の狭い幅であるので、突入毎にその幅狭さで抵抗を受け、加えて、差し座３，３が開口９の下縁９ａよりも高いため、上下の狭さによっても抵抗を受ける結果、このように波当たり抵抗によっても波力が弱まる。
【００１８】
トンネル８および縦穴７は、普段は魚の安全な住処となるが、このように海が荒れたときの消波の機能を果たすことになり、その際には、魚が消波された比較的静かな内海に移動することになる。
【００１９】
図４は、玉石などで盛った基礎１３の上に消波堤Ｔを構築した場合を示したものであるが、その設置基盤の如何に係わらず、図８，図９に示すように、下面に大きく凹部１５を設けてあると、傾かないように正座させやすい。また、上面に狭い窪み１７，１７，・・を設けてあると、そこが魚介類の産卵や幼稚仔の安全な定着場所となる。
【００２０】
消波堤の構築においては、一段配列とは限らなく、数段とすることもある。図１０および図１１は、二段に組み合う場合を示したものであるが、下の段の波消しブロックＰａには、上面に凸部１６が形成され、その凸部１６に上の波消しブロックＰの凹部１５を嵌めて安定させることができる。
【図面の簡単な説明】
【００２１】
【図１】この発明に係る一実施の形態を示す波消しブロックの斜視図である。
【図２】消波堤を構築する分かりやすい最小組個数で示す同波消しブロックの斜視図である。
【図３】同消波堤の構築状態を示す斜視図である。
【図４】図３のＡ−Ａ線矢視において海底に設置した状態を示すとともに波進路方向を矢印で図示して説明する使用状態断面図である。
【図５】消波堤の構築状態において波を消す仕組みを説明する平面図である。
【図６】同消波堤の構築状態において潮の流れを内海に取り入れる仕組みを説明する平面図である。
【図７】同消波堤の構築状態において潮の流れで内海から海水を引く仕組みを説明する平面図である。
【図８】他の実施の形態を示す波消しブロックの斜め方角から見た側面図である。
【図９】同波消しブロックの底面図である。
【図１０】他の実施の形態を説明するために上下組で波消しブロックを示す斜視図である。
【図１１】同上下組の波消しブロックの縦断面図である。
【符号の説明】
【００２２】
Ｐ，Ｐａ  波消しブロック
Ｔ  消波堤
１  横抜穴
３  差し座
４  側面
５  角面
７  縦穴
８  トンネル
９  開口
９ａ  開口下縁
【図１】
2005146682.tif 000003
【図２】
2005146682.tif 000004
【図３】
2005146682.tif 000005
【図４】
2005146682.tif 000006
【図５】
2005146682.tif 000007
【図６】
2005146682.tif 000008
【図７】
2005146682.tif 000009
【図８】
2005146682.tif 000010
【図９】
2005146682.tif 000011
【図１０】
2005146682.tif 000012
【図１１】
2005146682.tif 000013